(57)【特許請求の範囲】
【請求項１】
環状のフランジ部を備えた開口部を有する容器本体の前記フランジ部に対し、環状帯状を成す熱接着部にて熱接着することで、剥離可能に装着する即席食品用容器の蓋体であって、前記蓋体は、少なくとも、基材層と、前記容器本体のフランジ部と熱接着するための熱接着樹脂層と、を備えた積層材から構成されており、前記環状帯状を成す熱接着部で囲まれた部分の中心に向かう方向を内側、その反対に向かう方向を外側とする条件下で、前記蓋体は、前記容器本体のフランジ部の外周縁と略同じ外郭を有する蓋体主要部と、前記蓋体主要部から外側に突出する注湯口形成用摘み片と、前記蓋体主要部から外側に突出する排湯口形成用摘み片とから構成されており、前記蓋体主要部と前記排湯口形成用摘み片とは、前記熱接着部の外周縁よりも更に外側に位置する前記蓋体の外郭上の二点を繋ぐ破断予定線上に形成された排湯口形成用切目線を介して切離可能に区画されており、前記排湯口形成用摘み片において、前記破断予定線を上端、前記破断予定線と対向する縁部を下端、前記破断予定線の両端とした前記蓋体の外郭上の二点から前記下端に至る縁部を両側端とする条件下で、前記排湯口形成用摘み片は、前記両側端と前記下端から構成される２箇所のコーナー部であって且つ前記熱接着部より外側の部分を側端突出部として備えており、前記破断予定線の両端とした前記蓋体の外郭上の二点それぞれから前記破断予定線の中央に近づく方向を近接方向とする条件下で、前記排湯口形成用切目線は、前記積層体を構成する全て層を貫通する複数種類の切目線を組み合わせて構成されており、前記排湯口形成用切目線は、前記蓋体の外郭上の二点のうちの一の点を起点として近接方向に延伸して前記熱接着部の外周縁と内周縁の間の位置を終点とする１個の直線状の第一の開封開始用切目と、前記第一の開封開始用切目の終点に対して開いており且つ近接方向に延伸して収束する＞状切目及び前記＞状切目の収束した部分から連続して近接方向に延伸して前記熱接着部の内周縁よりも更に内側の位置を終点とする直線状切目から構成された１個の第一のＹ字状切目線と、前記蓋体の外郭上の二点のうちの他の点を起点として近接方向に延伸して前記熱接着部の外周縁と内周縁の間の位置を終点とする１個の直線状の第二の開封開始用切目と、前記第二の開封開始用切目の終点に対して開いており且つ近接方向に延伸して収束する＞状切目及び前記＞状切目の収束した部分から連続して近接方向に延伸して前記熱接着部の内周縁よりも更に内側の位置を終点とする直線状切目から構成された１個の第二のＹ字状切目線と、前記熱接着部の内周縁よりも更に内側の領域内で且つ前記第一のＹ字状切目線の終点と前記第二のＹ字状切目線の終点との間に配置された複数の切目から構成される断続切目線とからなる、ことを特徴とする蓋体。
【請求項２】
環状のフランジ部を備えた開口部を有する容器本体の前記フランジ部に対し、環状帯状を成す熱接着部にて熱接着することで、蓋体を剥離可能に装着した即席食品用容器であって、前記蓋体は、少なくとも、基材層と、前記容器本体のフランジ部と熱接着するための熱接着樹脂層と、を備えた積層材から構成されており、前記環状帯状を成す熱接着部で囲まれた部分の中心に向かう方向を内側、その反対に向かう方向を外側とする条件下で、前記蓋体は、前記容器本体のフランジ部の外周縁と略同じ外郭を有する蓋体主要部と、前記蓋体主要部から外側に突出する注湯口形成用摘み片と、前記蓋体主要部から外側に突出する排湯口形成用摘み片とから構成されており、前記蓋体主要部と前記排湯口形成用摘み片とは、前記熱接着部の外周縁よりも更に外側に位置する前記蓋体の外郭上の二点を繋ぐ破断予定線上に形成された排湯口形成用切目線を介して切離可能に区画されており、前記排湯口形成用摘み片において、前記破断予定線を上端、前記破断予定線と対向する縁部を下端、前記破断予定線の両端とした前記蓋体の外郭上の二点から前記下端に至る縁部を両側端とする条件下で、前記排湯口形成用摘み片は、前記両側端と前記下端から構成される２箇所のコーナー部であって且つ前記熱接着部より外側の部分を側端突出部として備えており、前記破断予定線の両端とした前記蓋体の外郭上の二点それぞれから前記破断予定線の中央に近づく方向を近接方向とする条件下で、前記排湯口形成用切目線は、前記積層体を構成する全て層を貫通する複数種類の切目線を組み合わせて構成されており、前記排湯口形成用切目線は、前記蓋体の外郭上の二点のうちの一の点を起点として近接方向に延伸して前記熱接着部の外周縁と内周縁の間の位置を終点とする１個の直線状の第一の開封開始用切目と、前記第一の開封開始用切目の終点に対して開いており且つ近接方向に延伸して収束する＞状切目及び前記＞状切目の収束した部分から連続して近接方向に延伸して前記熱接着部の内周縁よりも更に内側の位置を終点とする直線状切目から構成された１個の第一のＹ字状切目線と、前記蓋体の外郭上の二点のうちの他の点を起点として近接方向に延伸して前記熱接着部の外周縁と内周縁の間の位置を終点とする１個の直線状の第二の開封開始用切目と、前記第二の開封開始用切目の終点に対して開いており且つ近接方向に延伸して収束する＞状切目及び前記＞状切目の収束した部分から連続して近接方向に延伸して前記熱接着部の内周縁よりも更に内側の位置を終点とする直線状切目から構成された１個の第二のＹ字状切目線と、前記熱接着部の内周縁よりも更に内側の領域内で且つ前記第一のＹ字状切目線の終点と前記第二のＹ字状切目線の終点との間に配置された複数の切目から構成される断続切目線とからなる、ことを特徴とする即席食品用容器。
【発明の詳細な説明】
【技術分野】
【０００１】
本発明は、トレー状、カップ状等の成形容器に熱湯を注入し、収納された即席麺類等を湯戻しした後、残湯を排出することにより、調理することができる、即席食品用容器に関するものである。
【背景技術】
【０００２】
即席食品としてカップ状の容器内に収納される即席麺類等のうち、焼きそばやスパゲティ等は、蓋材を一部開口して熱湯を注入し、蓋材を再閉鎖して即席麺類等を湯戻し調理した後、余剰の熱湯を排出し、蓋材を剥がして別添のソース等と和える等して調理を完了し食に供されるものであり、注湯、排湯操作が簡単にできるように蓋材の形状が工夫されている。
【０００３】
蓋材は、注湯については熱湯が注ぎ込みやすいように大きく開放し、注湯後は麺類や具材の解れや加温のためにしっかり再閉鎖され、排湯時には麺や具材等が流出することがないよう、蓋材を部分的に開口する等の工夫が施されており、各種の湯切り蓋材付き容器が提案されている。
例えば「カップ状の容器内に油熱処理されたα化麺体を収納し、該容器の上部に装着した蓋板の外周一部を突出させて注湯口形成用の摘み片を設け、この摘み片により蓋板を捲って注湯口を作るようにした即席麺容器において、前記蓋板の注湯口形成用摘み片形成部の反対側の周縁近くの一部には、湯のみを排出する奥行きが狭く、幅が広い排湯口を形成するための、両端が周縁に達する切目を形成し、この切目の外側の部分の端部を突出させて排湯口形成用摘み片を設けたことを特徴とする排湯式即席麺容器。」が提案されている（例えば、特許文献１）。
また、出願人も「フランジ部を備えた開口部を有する有底容器本体と、外方へ突出する湯切口形成用摘み部と注湯口形成用摘み部とを備えた前記有底容器本体の前記開口部と同じ外形を有する蓋体とからなり、前記有底容器本体の前記フランジ部と前記蓋体とを剥離可能な熱接着部で密封した即席食品等を収容する容器において、前記蓋体には前記湯切口形成用摘み部近傍に表ハーフカットが変形ミシン目状に形成されていることを特徴とする容器。」（請求項１）を提案している（例えば、特許文献２）。
【先行技術文献】
【特許文献】
【０００４】
【特許文献１】実開昭５１−０９７００３号公報
【０００５】
【特許文献２】特開２００３−０４０３５２号公報
【０００６】
しかしながら、特許文献１においては、摘み片５は切目４の一方の端部に形成されているため、一方向からの引き裂き操作となって、容器の持ち方や使用者の利き手等によっては引き裂き方向が一定せず、図示例のように、切目４が点線状の場合、切目の破断方向が逸れて次の切目に連続せず、例えば、蓋板３の外方に逸れて排湯口８が小さく形成されて湯の排出が滞ったり、蓋板３の内方に逸れて排湯口８が大きく形成され麺体や野菜等が流出するなどの問題点を有するものであった。
【０００７】
また、特許文献２に記載された発明において、蓋体を構成する積層材に施された表ハーフカットは、蓋体を貫通しないようにハーフカットの深さをコントロールして設ける必要があり、加工が難しく、加工工程の安定性にかけるというおそれがある。
【発明の概要】
【発明が解決しようとする課題】
【０００８】
そこで、本発明の目的は、従来の湯切り蓋付き容器の問題点を解消して、湯切り口の形成に際し、容器の持ち方や蓋材の剥し方のいずれにも左右されずに、周縁近傍の所定位置の破断予定線に沿って破断可能であり、周縁近傍に幅狭な湯切り口を形成することができ、湯切り口からの湯の排出が滞ることなく、且つ収納物たる麺や具材等が流出することを防止できる蓋材を有する即席食品用容器を提供することにある。
【課題を解決するための手段】
【０００９】
上記課題を解決するため、請求項１記載の発明は、環状のフランジ部を備えた開口部を有する容器本体の前記フランジ部に対し、環状帯状を成す熱接着部にて熱接着することで、剥離可能に装着する即席食品用容器の蓋体であって、前記蓋体は、少なくとも、基材層と、前記容器本体のフランジ部と熱接着するための熱接着樹脂層と、を備えた積層材から構成されており、前記環状帯状を成す熱接着部で囲まれた部分の中心に向かう方向を内側、その反対に向かう方向を外側とする条件下で、前記蓋体は、前記容器本体のフランジ部の外周縁と略同じ外郭を有する蓋体主要部と、前記蓋体主要部から外側に突出する注湯口形成用摘み片と、前記蓋体主要部から外側に突出する排湯口形成用摘み片とから構成されており、前記蓋体主要部と前記排湯口形成用摘み片とは、前記熱接着部の外周縁よりも更に外側に位置する前記蓋体の外郭上の二点を繋ぐ破断予定線上に形成された排湯口形成用切目線を介して切離可能に区画されており、前記排湯口形成用摘み片において、前記破断予定線を上端、前記破断予定線と対向する縁部を下端、前記破断予定線の両端とした前記蓋体の外郭上の二点から前記下端に至る縁部を両側端とする条件下で、前記排湯口形成用摘み片は、前記両側端と前記下端から構成される２箇所のコーナー部であって且つ前記熱接着部より外側の部分を側端突出部として備えており、前記破断予定線の両端とした前記蓋体の外郭上の二点それぞれから前記破断予定線の中央に近づく方向を近接方向とする条件下で、前記排湯口形成用切目線は、前記積層体を構成する全て層を貫通する複数種類の切目線を組み合わせて構成されており、前記排湯口形成用切目線は、前記蓋体の外郭上の二点のうちの一の点を起点として近接方向に延伸して前記熱接着部の外周縁と内周縁の間の位置を終点とする１個の直線状の第一の開封開始用切目と、前記第一の開封開始用切目の終点に対して開いており且つ近接方向に延伸して収束する＞状切目及び前記＞状切目の収束した部分から連続して近接方向に延伸して前記熱接着部の内周縁よりも更に内側の位置を終点とする直線状切目から構成された１個の第一のＹ字状切目線と、前記蓋体の外郭上の二点のうちの他の点を起点として近接方向に延伸して前記熱接着部の外周縁と内周縁の間の位置を終点とする１個の直線状の第二の開封開始用切目と、前記第二の開封開始用切目の終点に対して開いており且つ近接方向に延伸して収束する＞状切目及び前記＞状切目の収束した部分から連続して近接方向に延伸して前記熱接着部の内周縁よりも更に内側の位置を終点とする直線状切目から構成された１個の第二のＹ字状切目線と、前記熱接着部の内周縁よりも更に内側の領域内で且つ前記第一のＹ字状切目線の終点と前記第二のＹ字状切目線の終点との間に配置された複数の切目から構成される断続切目線とからなる、ことを特徴とする蓋体である。
【００１０】
環状のフランジ部を備えた開口部を有する容器本体の前記フランジ部に対し、環状帯状を成す熱接着部にて熱接着することで、蓋体を剥離可能に装着した即席食品用容器であって、前記蓋体は、少なくとも、基材層と、前記容器本体のフランジ部と熱接着するための熱接着樹脂層と、を備えた積層材から構成されており、前記環状帯状を成す熱接着部で囲まれた部分の中心に向かう方向を内側、その反対に向かう方向を外側とする条件下で、前記蓋体は、前記容器本体のフランジ部の外周縁と略同じ外郭を有する蓋体主要部と、前記蓋体主要部から外側に突出する注湯口形成用摘み片と、前記蓋体主要部から外側に突出する排湯口形成用摘み片とから構成されており、前記蓋体主要部と前記排湯口形成用摘み片とは、前記熱接着部の外周縁よりも更に外側に位置する前記蓋体の外郭上の二点を繋ぐ破断予定線上に形成され排湯口形成用切目線を介して切離可能に区画されており、前記排湯口形成用摘み片において、前記破断予定線を上端、前記破断予定線と対向する縁部を下端、前記破断予定線の両端とした前記蓋体の外郭上の二点から前記下端に至る縁部を両側端とする条件下で、前記排湯口形成用摘み片は、前記両側端と前記下端から構成される２箇所のコーナー部であって且つ前記熱接着部より外側の部分を側端突出部として備えており、前記破断予定線の両端とした前記蓋体の外郭上の二点それぞれから前記破断予定線の中央に近づく方向を近接方向とする条件下で、前記排湯口形成用切目線は、前記積層体を構成する全て層を貫通する複数種類の切目線を組み合わせて構成されており、前記排湯口形成用切目線は、前記蓋体の外郭上の二点のうちの一の点を起点として近接方向に延伸して前記熱接着部の外周縁と内周縁の間の位置を終点とする１個の直線状の第一の開封開始用切目と、前記第一の開封開始用切目の終点に対して開いており且つ近接方向に延伸して収束する＞状切目及び前記＞状切目の収束した部分から連続して近接方向に延伸して前記熱接着部の内周縁よりも更に内側の位置を終点とする直線状切目から構成された１個の第一のＹ字状切目線と、前記蓋体の外郭上の二点のうちの他の点を起点として近接方向に延伸して前記熱接着部の外周縁と内周縁の間の位置を終点とする１個の直線状の第二の開封開始用切目と、前記第二の開封開始用切目の終点に対して開いており且つ近接方向に延伸して収束する＞状切目及び前記＞状切目の収束した部分から連続して近接方向に延伸して前記熱接着部の内周縁よりも更に内側の位置を終点とする直線状切目から構成された１個の第二のＹ字状切目線と、前記熱接着部の内周縁よりも更に内側の領域内で且つ前記第一のＹ字状切目線の終点と前記第二のＹ字状切目線の終点との間に配置された複数の切目から構成される断続切目線とからなる、ことを特徴とする即席食品用容器である。請求項１、２のいずれかに記載の構成により、所定の湯戻し調理完了後、蓋体周縁に設けられた排湯口形成用摘み片を把持して容器本体のフランジ部の熱接着部を剥離すると共に排湯口形成用切目線を破断することにより、容器本体のフランジ部と残った蓋体との間をに幅狭な排湯口が形成でき、且つ、排湯口形成用切目線は切目が蓋体の厚みを全貫通して設けられているので、破断による排湯口の形成を確実容易に行うことができる。また、排湯口形成用切目線がその両端いずれからも破断可能であると共に、排湯口形成用摘み片両側端の角部がそれぞれ前記周縁から突出する形状で形成されているので、容器の持ち方や蓋材の剥し方のいずれにも左右されずに、破断予定線を外れることなく所定の排湯口が形成でき、安定した排湯を行うことができる。
【発明の効果】
【００１１】
本発明の即席食品用容器は、排湯口形成用切目線が、両端いずれの方向からも開封が可能となって、使用者によって異なる容器の持ち方や蓋材の剥し方に対応でき、切断の不安定さによる破断の停滞等がないので破断予定線を逸れることがなく、所定の位置やサイズの排湯口形成が可能となって、麺や具材等の収納物が流出する惧れがない。また、排湯口形成用切目線は蓋体を全貫通する切刃による打ち抜き加工で形成されるので、蓋材の製造工程における打ち抜き刃の管理が容易であり、ハーフカット加工工程で切断深さが不安定となることがなく、加工における歩留まりが高く、経済性に優れている。
【００１２】
また、排湯口形成用切目線は、蓋体を全貫通するように設けたことにより、排湯口形成用摘み片を摘み上げ蓋体の容器本体フランジ部との熱接着部を剥離しつつ排湯口形成用切目線を容易に切断することができ、排湯口形成操作を簡便、迅速、且つ確実に行うことができる。
【図面の簡単な説明】
【００１３】
【図１】本発明に係る即席食品用容器の一実施例を示す説明用概略斜視図。
【図２】同じく即席食品用容器の一実施例の説明用平面図。
【図３】（ａ）〜（ｆ）同じく即席食品用容器の排湯口形成用切目線の実施態様を示す説明用部分拡大平面図。
【図４】（ａ）（ｂ）同じく即席食品用容器の一実施例の使用状態を示す説明用斜視図。
【図５】同じく即席食品用容器の蓋材の層構成を示す説明用拡大断面図。
【発明を実施するための形態】
【００１４】
本発明につき、図面等を用いて以下に詳述する。図１は本発明に係る即席食品用容器の一実施例を示す説明用概略斜視図。図２は同じく即席食品用容器の一実施例の説明用平面図。図３（ａ）〜（ｆ）は、同じく即席食品用容器の排湯口形成用切目線の実施態様を示す説明用部分拡大平面図。図４（ａ）、（ｂ）は、同じく即席食品用容器の一実施例の使用状態を示す説明用斜視図。図５は同じく即席食品用容器の蓋材の層構成を示す説明用拡大断面図である。
【００１５】
図１は本発明に係る即席食品用容器の一実施例を示す説明用概略斜視図で、即席食品用の容器Ａは、上部に略円形状の開口部を有するカップ状の容器本体１と、該容器本体１の開口部と略同じ外形を有するシート状の蓋体１０とからなり、前記容器本体１の上部の開口部端縁に一体に設けられたフランジ部２の上面と前記蓋体１０の周縁の内面とを熱接着部２０で剥離可能に密封した構成からなり、さらに、前記蓋体１０には外方へ突出する注湯口形成用摘み片１１と、排湯口形成用摘み片１２が設けられ、該排湯口形成用摘み片１２は前記容器本体１のフランジ部２の外周縁から突出する両側端突出部１２ａ、１２ｂを有し、前記熱接着部２０の外周で且つ前記両側端突出部１２ａ、１２ｂの内端間を結び、前記排湯口形成用摘み片１２を横断する破断予定線ｇ上に、図４（ｂ）に示す排湯口Ｃを形成するための排湯口形成用切目線１３が形成される。尚、破断予定線ｇは仮想線であり、図に一点鎖線をもって蓋体１０の周縁の一端を横断する状態を示した。
【００１６】
図２は同じく即席食品用容器の第一実施例の説明用平面図で、図１に示した即席食品用の容器Ａを蓋体側から見て一部透視した状態を示す図である。即席食品用の容器Ａの蓋体１０にはその周縁の一部に外方へ突出した注湯口形成用摘み片１１と、排湯口形成用摘み片１２が設けられ、該排湯口形成用摘み片１２は前記容器本体１のフランジ部２の外周縁から突出する両側端突出部１２ａ、１２ｂを有し、熱接着部２０の外周で且つ前記両側端突出部１２ａ、１２ｂの内端間を結び、前記排湯口形成用摘み片１２を横断する破断予定線ｇ上に、排湯口を形成するための排湯口形成用切目線１３ａを形成されている。上記のように排湯口形成用切目線１３ａは前記周縁間を直線状に横断する破断予定線ｇ上に切目部と非切目部とが連続的に配設して形成されるが、詳しくは、図３（ａ）の排湯口形成用切目線の実施態様１３ａを示す説明用部分拡大平面図で、蓋体１０の周縁の所定位置に一点鎖線で示す前記周縁間を横断する破断予定線上には、前記周縁に交わる両端より、それぞれ直線状の開封開始用切目Ｍ、前記開封開始用切目Ｍの破断を受容する＞状切目を有する横Ｙ字状切目線Ｎ、前記横Ｙ字状切目線Ｎからの破断をそれぞれ受容する上方すなわち蓋体の内方向に略４５度傾斜した斜辺切目イとこれに連続する直線切目ロとで形成される鈎状切目線Ｌが所定数連続して、それぞれ非切目部を介して配設され、それぞれ略中央部に到って、両端からの開封を受容する直線状の中央切目線Ｋがそれぞれ形成されてなるものである。尚、開封開始用切目Ｍは、蓋体１０の周縁に達して形成されており周縁所定部分からの開封を確実に開始することができ、横Ｙ字状切目線Ｎが熱接着部２０にかかるよう配置され、＞状切目及び＜状切目により開封開始切目Ｍの破断延長線を確実に受容でき、鈎状切目線Ｌにより蓋体１０の内側への破断延長線を受容することができる。また、図３（ａ）〜（ｆ）のそれぞれの下部に示すように、切断方向は蓋体周縁からそれぞれ内側に向かう双方向である。
【００１７】
図３（ｂ）〜（ｆ）は、排湯口形成用切目線の別態様を示す説明用拡大平面図であって、図３（ｂ）に示す別態様の排湯口形成用切目線１３ｂは、前述の実施態様１３ａで示した鈎状切目線Ｌを構成する斜辺切目イの上端に直線切目ロに平行な直線切目ハを延設したものである。前記直線切目ハは、前記鈎状切目線Ｌの直線切目ロからの破断をさらに受容しやすくした鈎状切目線Ｌ’であって、前記直線切目ロに被さるように刻設されている。
【００１８】
また、図３（ｃ）に示す別態様の排湯口形成用切目線１３ｃは、両端の開封開始用切目Ｍから非切目部を介して前記開封開始用切目Ｍの破断を受容する横Ｙ字状切目線Ｎがそれぞれ刻設され、該横Ｙ字状切目線Ｎの後端切目からそれぞれ非切目部を介して順に直線状の分断切目線Ｑを連続して刻設すると共に、分断切目線Ｑ間の非切目部の上部、すなわち蓋体の内方向にそれぞれ∧形状切目線Ｒを刻設してなり、前記分断切目線Ｑからの破断を∧形状切目線Ｒで受容するものである。
【００１９】
図３（ｄ）に示す別態様の排湯口形成用切目線１３ｄは、両端の開封開始用切目Ｍから非切目部を介して前記開封開始用切目Ｍの破断を受容する横Ｙ字状切目線Ｎがそれぞれ刻設され、該横Ｙ字状切目線Ｎの後端切目からそれぞれ非切目部を介して、前記横Ｙ字状切目線Ｎの後端切目からの破断をそれぞれ受容する上方すなわち蓋体の内方向に略４５度傾斜した斜辺切目イと連続する直線切目ロとさらに下方すなわち排湯口形成用摘み部方向に略４５度傾斜した斜辺切目ニとで形成される鈎状切目線Ｌ”が刻設され、さらに非切目部を介してそれぞれ下向きに開いたコ字状切目線Ｓが刻設されるとともに、コ字状切目線Ｓ間の非切目部の下方には遮断切目線Ｔがそれぞれ刻設されてなり、鈎状切目線Ｌ”および開いたコ字状切目線Ｓからの破断を受容するものである。
【００２０】
図３（ｅ）に示す別態様の排湯口形成用切目線１３ｅは、前記周縁に交わる両端より、それぞれ直線状の開封開始用切目Ｍ、前記開封開始用切目Ｍの破断を受容する＞状切目を有する横Ｙ字状切目線Ｎ、前記横Ｙ字状切目線Ｎからの破断をそれぞれ受容する上方すなわち蓋体の内方向に略４５度傾斜した斜辺切目イとこれに連続する直線切目ロとで形成される鈎状切目線Ｌが所定数連続して、それぞれ非切目部を介して配設され、略中央部に到って、両端からの開封を受容する直線状の中央切目線Ｋが形成されてなるものである。なお、排湯口形成用切目線１３ｅは、開封開始用切目Ｍのそれぞれ内端間を結び且つ排湯口形成用摘み片１２側にやや膨出した弧状線となるように形成されており、すなわち容器本体フランジ部の熱接着部２０に近付いた破断予定線ｇ’上にそれぞれの切目線が刻設されることにより、落下や積載による容器の変形等から発生する切目線の無用な破断を防止することができる。また、開封によって形成される排湯口Ｃが、容器の内縁と略平行な弧状線により帯状の開口部となるため、収納物の落下排出を抑制することができる。
【００２１】
図３（ｆ）に示す別態様の排湯口形成用切目線１３ｆは、前記周縁に交わる両端より、それぞれ直線状の開封開始用切目Ｍと、前記開封開始用切目Ｍの破断を受容する＞状切目を有する横Ｙ字状切目線Ｎと、前記横Ｙ字状切目線Ｎからの破断をそれぞれ受容する上方すなわち蓋体の内方向に略４５度傾斜した斜辺切目イとこれに連続する直線切目ロとで形成される鈎状切目線Ｌが所定数連続して、それぞれ非切目部を介して配設され、略中央部に到って、両端からの開封を受容する直線状の中央切目線Ｋが形成されてなるものである。なお、鈎状切目線Ｌと中央切目線Ｋは、中央切目線Ｋを下端とし排湯口形成用摘み片側にやや膨出した弧状線となるように形成されている。排湯口形成用切目線１３ｆは、上記排湯口形成用切目線１３ｅと同様に、落下や積載による容器の変形等から発生する切目線の無用な破断を防止することができ、また、開封によって形成される排湯口Ｃの中央部に弧状の膨出部が形成されるので、収納物の落下排出を抑制することができる。
【００２２】
次に、図４（ａ）、（ｂ）は同じく即席食品用容器の一実施例の使用状態を示す説明用斜視図であって、図４（ａ）に示すように、蓋体１０の注湯口形成用摘み片１１を把持して容器本体１のフランジ部２から所定の開口位置すなわち印刷等により表示される前記注湯口形成用摘み片１１から容器開口部全体の約１／３程度の注湯用開封予定線（図示せず）まで蓋体１０を開封剥離して注湯口Ｂを形成し、この注湯口Ｂから別途包装された具材等の袋やソース材等の袋（図示せず）を取り出し、湯戻し調理の必要な具材等を前記注湯口Ｂより投入した後に、所定量の熱湯を注湯し、前記注湯口Ｂを部分剥離した前記蓋体１０を容器本体１のフランジ部２に戻して被せ、所定時間の湯戻し調理を行う。
【００２３】
図４（ｂ）は、上記の湯戻し調理後、蓋体１０に設けた排湯口形成用摘み片１２（図示せず）を把持し、熱接着部２０の一部を剥離しつつ、排湯口形成用切目線１３ａを破断して排湯口Ｃを形成した後、この排湯口Ｃを下に傾けるよう容器Ａを把持して、排湯口Ｃから湯切り調理の残湯を排湯する状態を示しており、排湯後、容器本体１のフランジ部２から蓋体１０を全剥離して開口し、ソース材等を投入調理して食用に供するものである。
【００２４】
排湯口Ｃは、蓋体１０の厚さを全貫通して設けた排湯口形成用切目線１３ａの破断により形成されるので、従来技術に示した蓋材のハーフカットによる排湯口の形成において発生した、ハーフカットの深浅による切断の不安定さが無く、安定した破断により所望する排湯口の形成が可能で、部分的に破断予定線を外れて開口部が大きくなりすぎ、排湯口から麺や具材が流出してしまうようなトラブルが生じることが無い。また、排湯口形成用切目線は蓋体の厚さを全貫通する切刃による打ち抜き加工で形成されるので、蓋体の製造工程における打ち抜き刃の管理が容易であり、従来技術のハーフカット加工工程のように切断深さが不安定となることが無いので、加工工程の歩留まりが高く、経済性に優れている。尚、本発明の湯切り蓋付容器において、販売時には容器全体が熱収縮包装材で包装されて、蓋材の全貫通する排湯口形成用切目線から埃等が侵入することは防止されている。
【００２５】
本発明に用いられる容器本体１は、ポリスチレンペーパー、ハイインパクトポリスチレンシート、ポリプロピレンシート、ポリアミドとポリエチレンないしポリプロピレンとの積層シート、ポリエチレンとポリプロピレンとの積層シート等の、シート素材を周知の真空成形法や圧空成形法等で成形して容器としたもの、或いは、ポリプロピレン、ポリスチレン等の射出成形用樹脂を射出成形して容器としたもの、或いは、発泡スチレン製容器、紙製容器、或いはこれらの組み合わせからなる二重容器等、熱湯による湯戻し調理等が行われる食品用容器に使用される周知のものを利用することができる。
【００２６】
また、図５は本発明に用いられる蓋体の一実施例を示す積層構成の断面図で、蓋体１０は、基材層３０の内面に熱接着性樹脂層３１を設けた構成からなる積層材であって、前記基材層３０を構成する基材は、紙、アルミニウム箔等の金属箔或いは、ポリエチレンやポリプロピレン等のオレフィン系樹脂やポリエステル、ポリアミド等の合成樹脂製シートの単体もしくはこれらの組み合わせによる積層体を挙げることができ、前記熱接着性樹脂層３１を構成するものは、ポリエチレン、ポリプロピレン、エチレン−プロピレン共重合体、エチレン−酢酸ビニル共重合体、アイオノマー樹脂、塩化ビニル−酢酸ビニル共重合体、アクリル酸樹脂、メタクリル酸樹脂、エチレン−アクリル酸共重合体、エチレン−メタクリル酸共重合体、エチレン−アクリル酸エステル共重合体、エチレン−メタクリル酸エステル共重合体、ポリエステル樹脂等の単体ないし複合体を挙げることができる。これらの樹脂は、容器本体の構成に応じて、易開封性となるものを適宜選択して用いることができる。また、基材層３０の表面には、通常印刷層が設けられ、さらに、印刷層を保護するオーバープリント層が設けられる。
【符号の説明】
【００２７】
Ａ                                容器
Ｂ                                注湯口
Ｃ                                排湯口
１                                容器本体
２                                フランジ部
１０                              蓋体
１１                              注湯口形成用摘み片
１２                              排湯口形成用摘み片
１２ａ、１２ｂ                    側端突出部
１３、１３ａ〜１３ｆ              排湯口形成用切目線
Ｋ                                中央切目線
Ｌ、Ｌ’、Ｌ”                    鈎状切目線
イ、ニ                            斜辺切目
ロ、ハ                            直線切目
Ｍ                                開封開始用切目
Ｎ                                Ｙ字状切目線
Ｑ                                分断切目線
Ｒ                                ∧形状切目線
Ｓ                                コ字状切目線
Ｔ                                遮断切目線
２０                              熱接着部
３０                              基材層
３１                              熱接着性樹脂層
ｇ、ｇ’、ｇ”                    破断予定線
【図３】
0005659468.tif 000002
【図１】
0005659468.tif 000003
【図２】
0005659468.tif 000004
【図４】
0005659468.tif 000005
【図５】
0005659468.tif 000006